(57)【要約】【課題】ケーシング内で互いに近接して配置される金属製の管の相互の接触により発生する金属音を抑制する。【解決手段】本発明の手掛け具３は、空気調和装置の室外機１００のケーシング２に取り付けられる。とくに、手掛け具本体３１と、手掛け具本体３１の背面側に設けられ、互いに近接して配置される複数の金属製の管５１を保持するための保持部３２とを含む。【選択図】図１
2009162465.tif 000002
【特許請求の範囲】
【請求項１】
空気調和装置の室外機のケーシングに取り付けられる手掛け具であって、
手掛け具本体と、
前記手掛け具本体の背面側に設けられ、互いに近接して配置される複数の金属製の管を保持するための保持部とを含むことを特徴とする手掛け具。
【請求項２】
前記保持部には、前記管を保持可能に前記管の一部を収容する溝が形成されている請求項１記載の手掛け具。
【請求項３】
前記保持部には、前記管が前記溝から脱落するのを防止するための抜け止め手段が形成されている請求項１または２記載の手掛け具。
【請求項４】
前記手掛け具本体および前記保持部が、合成樹脂により一体に成形されている請求項１〜３のいずれかに記載の手掛け具。
【請求項５】
請求項１〜４のいずれかに記載の手掛け具がケーシングに取り付けられた空気調和装置の室外機。
【請求項６】
前記金属製の管が、キャピラリーチューブである請求項５記載の空気調和装置の室外機。
【請求項７】
前記ケーシングは、メンテナンス用開口を有するケーシング本体と、
前記メンテナンス用開口を開閉可能な蓋体とを有し、
前記手掛け具は、前記ケーシング本体に設けられる請求項５または６記載の空気調和装置の室外機。
【発明の詳細な説明】
【技術分野】
【０００１】
本発明は、空気調和装置の室外機のケーシングに取り付けられる手掛け具および該手掛け具を用いた空気調和装置の室外機に関する。
【背景技術】
【０００２】
従来、空気調和装置の室外機は、主に、熱交換器、圧縮機、減圧機構、送風機、制御部およびこれらを内部に収容するためのケーシングとから構成されている。これらの器機のうち、熱交換器、圧縮機、減圧機構はケーシングの内部で金属製の管によって連結されている。
【０００３】
特許文献１には、空気調和装置の室外機と室内機を連結する管を、室外機のケーシングの外部で、ケーシングに取り付けられた把手の一部で保持している空気調和装置の室外機が開示されている。
【０００４】
また、特許文献２には、ケーシングに取り付けられた手掛具と一体に設けられた支持部で、ケーシング内の四方弁を支持している空気調和装置の室外機が開示されている。
【特許文献１】実開平６−８４２２３号公報
【特許文献２】特開２００３−１８５１８８号公報
【発明の開示】
【発明が解決しようとする課題】
【０００５】
しかしながら、特許文献１の技術では、室外機のケーシングの外部に設けられた管を所定の位置に保持することが可能だが、ケーシング内に配置される金属製の管の振動を抑制することはできない。
【０００６】
また、特許文献２の技術では、運搬時などの衝撃で、四方弁が所定の位置から沈み込むことを避け、四方弁の沈み込みに起因する騒音の発生を抑制することはできる。しかしながら、ケーシングの内部で、四方弁に接続される管やその他の管は、圧縮機の駆動に伴って、管同士が互いに振れて接触し、金属音が発生してしまうという問題が未だ残されている。
【０００７】
本発明は、上記従来の問題に鑑みてなされたものであり、ケーシング内で互いに近接して配置される金属製の管の相互の接触により発生する金属音を抑制することができる手掛け具および該手掛け具を用いた空気調和装置の室外機を提供することを目的としている。
【課題を解決するための手段】
【０００８】
本発明の手掛け具は、空気調和装置の室外機のケーシングに取り付けられる手掛け具であって、手掛け具本体と、前記手掛け具本体の背面側に設けられ、互いに近接して配置される複数の金属製の管を保持するための保持部とを含むことを特徴とする。
【０００９】
この発明によれば、複数の金属製の管を保持するための保持部が、手掛け具本体の背面側に設けられていることにより、この手掛け具をケーシングに取り付けると、各管を所定の位置に留めることができるようになる。このため、圧縮機の振動を受けても、管が振れるなどして互いに接触するのを防ぐことができる。したがって、ケーシング内で互いに近接して配置される金属製の管の相互の接触により発生する金属音を抑制することができる。また、管に緩衝材を貼り付けるなどの処置を施す必要がない。
【００１０】
また、前記保持部には、前記管を保持可能に前記管の一部を収容する溝が形成されていることが好ましい。
【００１１】
この発明によれば、管の一部を収容する溝が、保持部に形成され、管をその長手方向に沿って保持するので、応力が管の一部に集中して発生するのを緩和することができる。
【００１２】
また、前記保持部には、前記管が前記溝から脱落するのを防止するための抜け止め手段が形成されていることが好ましい。
【００１３】
この発明によれば、保持部に抜け止め手段が形成されていることにより、溝に収容された管が、保持部から簡単に外れるのを防ぐことができる。
【００１４】
また、前記手掛け具本体および前記保持部が、合成樹脂により一体に成形されていることが好ましい。
【００１５】
この発明によれば、手掛け具本体および保持部が、ともに合成樹脂により一体に成形されているので、手掛け具本体と保持部とを一括で成形することができる。
【００１６】
本発明の空気調和装置の室外機は、上記の手掛け具がケーシングに取り付けられていることを特徴とする。
【００１７】
この発明によれば、ケーシング内であって、手掛け具付近に設けられている複数の金属製の管を所定の位置に保持することができる。このため、圧縮機の振動を受けても、管が振れるなどして互いに接触するのを防ぐことができる。したがって、ケーシング内で互いに近接して配置される金属製の管の相互の接触により発生する金属音を抑制することができる。また、管に緩衝材を貼り付けるなどの処置を施す必要がない。
【００１８】
また、前記金属製の管が、キャピラリーチューブであることが好ましい。
【００１９】
この発明によれば、ケーシング内に設けられた、圧縮機の駆動に伴って振動しやすい複数のキャピラリーチューブを所定の位置に保持することができる。
【００２０】
また、前記ケーシングは、メンテナンス用開口を有するケーシング本体と、前記メンテナンス用開口を開閉可能な蓋体とを有し、前記手掛け具は、前記ケーシング本体に設けられることが好ましい。
【００２１】
この発明によれば、手掛け具が、ケーシングの開閉可能な蓋体ではなく、ケーシング本体に設けられているので、メンテナンス時に手掛け具を取り外す必要がない。したがって、メンテナンス時の作業が繁雑になることもなく、手掛け具から管を取り外す作業が原因で管を損傷することもない。
【発明の効果】
【００２２】
本発明によれば、ケーシング内で互いに近接して配置される金属製の管の相互の接触により発生する金属音を抑制することができる。
【発明を実施するための最良の形態】
【００２３】
本発明は、空気調和装置の室外機のケーシングに取り付けられる手掛け具の背面側に工夫を施して、ケーシング内に設けられる金属製の管を所定の位置に保持するものである。
【００２４】
以下で、本発明の手掛け具および該手掛け具を用いた空気調和装置の室外機について、図面を用いて詳細に説明する。
【００２５】
図１は、実施の形態１の空気調和装置の室外機１００を説明するための斜視図である。図２は、空気調和装置の室外機１００の内部における、各種機器の配置状態を説明するための平面図である。実施の形態１の空気調和装置の室外機１００は、図１および図２に示されるように、箱状のケーシング２と、ケーシング２に取り付けられ、室外機１００の運搬時に作業者が手を掛けるための手掛け具３と、外気に対して熱交換を行うための熱交換器４と、冷媒を圧縮するための圧縮機６と、高温、高圧の液状の冷媒を低温、低圧の液状の冷媒にして容易に蒸発しうる状態にするための減圧機構５と、ケーシング２の内部に空気を吸い込み、ケーシング２の内部の空気を外部へ排出するような空気の流れを作る送風機７と、圧縮機６、送風機７および減圧機構５などを制御するための制御部８とを備えている。
【００２６】
とくに、減圧機構５は、液状の冷媒の圧力を下げるための膨張弁５２と、膨張弁５２の手前で補助的に冷媒の圧力を減圧するためのキャピラリーチューブ（金属製の管）５１とを含む。キャピラリーチューブ５１は、手で折り曲げることもできる程度の外径（約３ｍｍ程度）の比較的細い銅製の管である。熱交換器４の一方の端部４ａと膨張弁５２との間は、互いに近接して配置された複数のキャピラリーチューブ５１によって繋がれている。
【００２７】
また、ケーシング２は、メンテナンス用開口が形成されたケーシング本体２２と、メンテナンス用開口を開閉可能な蓋体２３とを含む。なかでも、ケーシング２のうち、背面側に設けられているケーシング本体２２には、上述の手掛け具３を嵌合するための開口２ｃ（図５参照）が形成されている。
【００２８】
ケーシング２の内部の空間は、図２に示されるように、隔壁２１によって、熱交換器室Ａと、機械室Ｂとの２つの空間に仕切られている。
【００２９】
熱交換器室Ａにおいては、ケーシング２の側部に空気の吸い込み口２ａと吹き出し口２ｂが、互いに向かい合うように形成されている。熱交換器４は、吸い込み口２ａと吹き出し口２ｂとの間であって、吸い込み口２ａの側に配置されている。送風機７は、吸い込み口２ａと吹き出し口２ｂとの間であって、吹き出し口２ｂの側に配置されている。また、図２に示されるように、熱交換器４の一方の端部４ａは、機械室Ｂ内に臨むように配置されている。
【００３０】
また、機械室Ｂには、圧縮機６と、制御部８と、減圧機構５とが配置されている。減圧機構５のキャピラリーチューブ５１は、この機械室Ｂ内であって、ケーシング２の背面側（吸い込み口２ａ側）に配置されている。具体的には、ケーシング２の機械室Ｂ内には、複数の所定の長さのキャピラリーチューブ５１が所定の形状に曲げられた状態で設置されている。これは、キャピラリーチューブ５１内を通過する冷媒の圧力を所定の圧力まで補助的に減圧するために、キャピラリーチューブ５１の長さを、所定の長さだけ確保する必要がある一方、機械室Ｂ内という狭い空間内にキャピラリーチューブ５１を収める必要があるため、キャピラリーチューブ５１を所定の形状に湾曲させている。
【００３１】
手掛け具３は、図１および図２に示されるように、ケーシング２の背面側（吸い込み口２ａ側）のケーシング本体２２であって、機械室Ｂ側に形成された開口２ｃに、嵌合された状態で取り付けられる。したがって、減圧機構５のキャピラリーチューブ５１は、手掛け具３の裏側に位置することになる。
【００３２】
図３は、本実施の形態の手掛け具３を説明するための斜視図であり、手掛け具３の正面側を示す。図４は手掛け具３の背面側を示す。図５は、図２のＶ−Ｖ線位置の断面図である。本実施の形態の手掛け具３は、図３〜図５に示されるように、室外機１００の運搬時に作業者が手を掛ける部分である手掛け具本体３１と、キャピラリーチューブ５１を所定の位置に保持するための保持部３２とから構成されている。手掛け具本体３１および保持部３２は、合成樹脂により一体に成形されている。
【００３３】
手掛け具本体３１は、一方が開放された略椀状を呈し、左右側壁の中間部に、向かい合うように１対の凹みが形成され、その１対の凹みを繋ぐように架設部３１ｃが設けられている。手掛け具本体３１の架設部３１ｃを上縁部とする架設部３１ｃ下側の横長開口は、作業者が手を掛けるための手掛け穴３１ａである。また、架設部３１ｃを下縁部とする手掛け具本体３１の上側の端面３１ｄは、ケーシング本体２２の内面に当接する部分である。また、手掛け穴３１ａの周縁部には、ケーシング本体２２に形成された開口２ｃの周縁部外側表面に当接し、開口２ｃから手掛け具３のケーシング２の内部への脱落を防止するための縁部３１ｂが、手掛け具本体３１の鍔状に形成されている。縁部３１ｂは、ケーシング２の厚さに相当する分だけ、上述の手掛け具本体３１の上側の端面３１ｄより突出した位置に形成されている。手掛け具３をケーシング本体２２に形成された開口２ｃに嵌め込むと、端面３１ｄと縁部３１ｂとによって開口２ｃの上縁部が挟み込まれる。
【００３４】
保持部３２は、手掛け具本体３１の背面から突出して設けられている。保持部３２には、キャピラリーチューブ５１を保持可能な溝３２ａが、複数本（本実施の形態では２本）設けられ、保持部３２を上下方向に貫くように形成されている。各溝３２ａは、幅がキャピラリーチューブ５１の外径とほぼ等しく設定されている。キャピラリーチューブ５１の一部が溝３２ａに収容されると、溝３２ａの表面とキャピラリーチューブ５１の表面とが面接触する。このため、溝３２ａの表面でキャピラリーチューブ５１をその長手方向に沿って保持することができる。
【００３５】
また、各溝３２ａの深さとしては、少なくともキャピラリーチューブ５１が１本収容可能な深さが必要である。本実施の形態では、複数本のキャピラリーチューブを少ない数の溝３２ａに収容して保持するために、溝３２ａの深さを、キャピラリーチューブ５１が複数本収容可能な深さに設定している。本実施の形態では、略逆Ｕ字状に湾曲した各キャピラリーチューブ５１が、その平行に並んだ一部分を、平行に形成された２本の溝３２ａ内に収容されることによって、保持部３２に保持される。
【００３６】
さらに、保持部３２には、キャピラリーチューブ５１が溝３２ａから脱落するのを防止するための抜け止め手段３２ｂが形成されている。抜け止め手段３２ｂは、図４に示されるように、溝３２ｂの長手方向に沿って３箇所形成されている。各抜け止め手段３２ｂは、溝３２ｂの幅を狭くするように突出して形成されている。これにより、溝３２ａに収容されたキャピラリーチューブ５１が、保持部３２から簡単に外れるのを防ぐことができる。
【００３７】
ここで、手掛け具３の取り付け手順について説明する。
【００３８】
図５に示されるように、手掛け具３は、ケーシング２の背面側に設けられたケーシング本体２２に形成されている開口２ｃに、ケーシング本体２２の外側から挿入され、縁部３１ｂを開口２ｃの周縁部外側表面に当接させた状態で取り付けられる。そして、手掛け具３がケーシング本体２２に装着された後、キャピラリーチューブ５１を１本ずつ、抜け止め手段３２ｂによって狭小になっているところを通して、保持部３２の溝３２ａに挿入する。これにより、キャピラリーチューブ５１は手掛け具３に保持される。このとき、作業者は、キャピラリーチューブ５１の形状を保持部３２の溝３２ａに沿うように変形させてもよい。従来、キャピラリーチューブ５１は、手掛け具３を回避するように湾曲させて設置する必要があったが、本実施の形態では、キャピラリーチューブ５１を手掛け具３から回避させる必要がない。
【００３９】
以上の実施の形態によれば、手掛け具３には、複数のキャピラリーチューブ５１を保持するための保持部３２が、手掛け具本体３１の背面側に設けられている。これにより、この手掛け具３をケーシング２に取り付けると、各キャピラリーチューブ５１を所定の位置に留めることができるようになる。このため、圧縮機６などの振動を受けても、キャピラリーチューブ５１が振れるなどして互いに接触するのを防ぐことができる。したがって、ケーシング２内で互いに近接して配置される金属製のキャピラリーチューブ５１の相互の接触により発生する金属音を抑制することができる。また、キャピラリーチューブ５１に緩衝材を貼り付けるなどの処置を施す必要がない。
【００４０】
また、キャピラリーチューブ５１の一部を収容する溝３２ａが、保持部３２に形成され、キャピラリーチューブ５１をその長手方向に沿って保持するので、応力がキャピラリーチューブ５１の一部に集中して発生するのを緩和することができる。
【００４１】
また、保持部３２に抜け止め手段３２ｂが形成されていることにより、溝３２ａに収容されたキャピラリーチューブ５１が、保持部３２から簡単に外れるのを防ぐことができる。
【００４２】
また、手掛け具本体３１および保持部３２が、ともに合成樹脂により一体に成形されているので、手掛け具本体３１と保持部３２とを一括で成形することができる。
【００４３】
また、ケーシング２内に設けられた、圧縮機６の駆動に伴って振動しやすい複数のキャピラリーチューブ５１を所定の位置に保持することができる。
【００４４】
また、手掛け具３が、ケーシング２の開閉可能な蓋体ではなく、ケーシング本体２２に設けられているので、メンテナンス時に手掛け具３を取り外す必要がない。したがって、メンテナンス時の作業が繁雑になることもなく、手掛け具３からキャピラリーチューブ５１を取り外す作業が原因でキャピラリーチューブ５１を損傷することもない。
【００４５】
なお、上記実施の形態では、保持部３２に２本の溝３２ａが縦方向に形成された形態について説明したが、本発明はこれに限定されるものではなく、図６に示されるように、溝３２ａを縦方向に３本以上、あるいは１本のみ形成して金属製の管を保持してもよい。溝３２ａを２本以上形成する場合には、溝３２ａの深さを浅く設定しても、複数本のキャピラリーチューブを保持することができるとともに、保持部３２の手掛け具本体３１からの突出量を小さくすることができる。したがって、ケーシング本体２２に形成された開口２ｃに手掛け具３を挿入し易くなる。また、図７に示されるように、保持部３２に溝２１ａを横方向に形成して金属製の管を保持する形態であってもよい。
【００４６】
また、上記実施の形態では、キャピラリーチューブ５１を手掛け具３の保持部３２で保持した形態について説明したが、本発明はこれに限定されるものではなく、室外機の内部に設置される他の金属製の管を保持部で保持する形態であってもよい。
【００４７】
また、上記実施の形態では、保持部３２が手掛け具本体３１の背面のみに設けられた形態について説明したが、本発明はこれに限定されるものではなく、保持部３２が、手掛け具本体の背面側の側面のみ、または、背面および側面の両方に形成される形態であってもよい。
【００４８】
また、上記実施の形態では、１本のキャピラリーチューブ５１を略逆Ｕ字状に湾曲させた状態でその２箇所を保持部３２で保持する形態について説明したが、本発明はこれに限定されるものではなく、各キャピラリーチューブ５１の１箇所を保持部で保持する形態であってもよい。
【００４９】
また、上記実施の形態では、減圧機構５が、キャピラリーチューブ５１と膨張弁５２とを含む形態について説明したが、本発明はこれに限定されるものではなく、減圧機構として膨張弁５２を含まない形態であってもよい。
【図面の簡単な説明】
【００５０】
【図１】空気調和装置の室外機を説明するための斜視図である。
【図２】空気調和装置の室外機の内部における、各種機器の配置状態を説明するための平面図である。
【図３】空気調和装置の室外機に用いられる手掛け具を説明するための斜視図であり、手掛け具の正面側を示している。
【図４】空気調和装置の室外機に用いられる手掛け具を説明するための斜視図であり、手掛け具の背面側を示している。
【図５】図２のＶ−Ｖ位置の断面図である。
【図６】手掛け具の保持部の他の形態を説明するための斜視図であり、手掛け具の背面側を示し、４本の上下方向に延びる溝が形成された保持部を示している。
【図７】手掛け具の保持部の他の形態を説明するための斜視図であり、横方向に延びた溝が形成された保持部を示している。
【符号の説明】
【００５１】
２  ケーシング
２２  ケーシング本体
３  手掛け具
３１  手掛け具本体
３２  保持部
３２ａ  溝
３２ｂ  抜け止め手段
５  キャピラリーチューブ（金属製の管）
１００  空気調和装置の室外機
【図１】
2009162465.tif 000003
【図２】
2009162465.tif 000004
【図３】
2009162465.tif 000005
【図４】
2009162465.tif 000006
【図５】
2009162465.tif 000007
【図６】
2009162465.tif 000008
【図７】
2009162465.tif 000009
【手続補正書】
【提出日】平成21年2月4日(2009.2.4)
【手続補正１】
【補正対象書類名】特許請求の範囲
【補正対象項目名】全文
【補正方法】変更
【補正の内容】
【特許請求の範囲】
【請求項１】
空気調和装置の室外機のケーシングに取り付けられる手掛け具であって、
手掛け具本体と、
前記手掛け具本体の背面側に設けられ、互いに近接して配置される複数の管であって、冷媒を通過させる管を保持するための保持部とを含むことを特徴とする手掛け具。
【請求項２】
前記保持部には、前記管を保持可能に前記管の一部を収容する溝が形成されている請求項１記載の手掛け具。
【請求項３】
前記保持部には、前記管が前記溝から脱落するのを防止するための抜け止め手段が形成されている請求項１または２記載の手掛け具。
【請求項４】
前記手掛け具本体および前記保持部が、合成樹脂により一体に成形されている請求項１〜３のいずれかに記載の手掛け具。
【請求項５】
請求項１〜４のいずれかに記載の手掛け具がケーシングに取り付けられた空気調和装置の室外機。
【請求項６】
前記冷媒を通過させる管が、キャピラリーチューブである請求項５記載の空気調和装置の室外機。
【請求項７】
前記ケーシングは、メンテナンス用開口を有するケーシング本体と、
前記メンテナンス用開口を開閉可能な蓋体とを有し、
前記手掛け具は、前記ケーシング本体に設けられる請求項５または６記載の空気調和装置の室外機。
【手続補正２】
【補正対象書類名】明細書
【補正対象項目名】０００７
【補正方法】変更
【補正の内容】
【０００７】
本発明は、上記従来の問題に鑑みてなされたものであり、ケーシング内で互いに近接して配置される冷媒を通過させる管の相互の接触により発生する音を抑制することができる手掛け具および該手掛け具を用いた空気調和装置の室外機を提供することを目的としている。
【手続補正３】
【補正対象書類名】明細書
【補正対象項目名】０００８
【補正方法】変更
【補正の内容】
【０００８】
本発明の手掛け具は、空気調和装置の室外機のケーシングに取り付けられる手掛け具であって、手掛け具本体と、前記手掛け具本体の背面側に設けられ、互いに近接して配置される複数の管であって、冷媒を通過させる管を保持するための保持部とを含むことを特徴とする。
【手続補正４】
【補正対象書類名】明細書
【補正対象項目名】０００９
【補正方法】変更
【補正の内容】
【０００９】
この発明によれば、複数の管であって、冷媒を通過させる管を保持するための保持部が、手掛け具本体の背面側に設けられていることにより、この手掛け具をケーシングに取り付けると、各管を所定の位置に留めることができるようになる。このため、圧縮機の振動を受けても、管が振れるなどして互いに接触するのを防ぐことができる。したがって、ケーシング内で互いに近接して配置される冷媒を通過させる管の相互の接触により発生する音を抑制することができる。また、管に緩衝材を貼り付けるなどの処置を施す必要がない。
【手続補正５】
【補正対象書類名】明細書
【補正対象項目名】００１７
【補正方法】変更
【補正の内容】
【００１７】
この発明によれば、ケーシング内であって、手掛け具付近に設けられている複数の管であって、冷媒を通過させる管を所定の位置に保持することができる。このため、圧縮機の振動を受けても、管が振れるなどして互いに接触するのを防ぐことができる。したがって、ケーシング内で互いに近接して配置される冷媒を通過させる管の相互の接触により発生する音を抑制することができる。また、管に緩衝材を貼り付けるなどの処置を施す必要がない。
【手続補正６】
【補正対象書類名】明細書
【補正対象項目名】００１８
【補正方法】変更
【補正の内容】
【００１８】
また、前記冷媒を通過させる管が、キャピラリーチューブであることが好ましい。
【手続補正７】
【補正対象書類名】明細書
【補正対象項目名】００２２
【補正方法】変更
【補正の内容】
【００２２】
本発明によれば、ケーシング内で互いに近接して配置される冷媒を通過させる管の相互の接触により発生する音を抑制することができる。